(57)【要約】【課題】容易に取付けることができ、取付け後は落下を防止することができる照明器具を提供する。【解決手段】光源２１を有する灯体２０を先端に支持するアーム３２は、フランジ４０の底部４１に支持されており、フランジ４０を被取付部１１に取付けられている取付板５０に取り付けることにより、照明器具１０が被取付部１１に取付けられる。この際、取付板５０に設けられている係止部５４の先端部５４２を、フランジ４０の係合部４７のストッパ部４４に当接することにより、容易に位置決めすることができる。また、ストッパ部４４に当接した状態では、係止部５４の先端部５４２はフランジ４０の傾斜面４５により仮支持されているので、フランジ４０を取付板５０に容易に取付けることができる。さらに、フランジ４０を取付板５０に取付けることにより照明器具１０を被取付部１１に取付けた後、万が一止めネジが緩んでも、係止部５４は傾斜面４５に沿って移動し、落下防止凹部４６に嵌合するので、落下を確実に防止することができる。【選択図】図４
2010140798.tif 000002
【特許請求の範囲】
【請求項１】
光源を有する灯体と、
前記灯体を支持するアームと、
上面が開口し底部に前記アームを支持する有底円筒形状をしたフランジと、
被取付部に取付けられ前記フランジを係止する取付板と、を有する照明器具であって、
前記フランジの内周面に沿って内側へ突出し、一端にストッパ部を有する傾斜面および該傾斜面の他端に連続する落下防止凹部を有する係合部を設け、
前記取付板の外周面から下方外側へ突出し、先端部が前記落下防止凹部に嵌合可能なＬ字状の係止部を設けたことを特徴とする照明器具。
【発明の詳細な説明】
【技術分野】
【０００１】
本発明は、光源を有する灯体を支持するフランジを、被取付部に取付けられた取付板に取付けることにより、被取付部に取付けられる照明器具に関するものである。
【背景技術】
【０００２】
従来より、光源を有する灯体をアームにより支持し、アームを支持するフランジを被取付部に取付ける照明器具が提案されている（例えば特許文献１参照）。
図５に示すように、特許文献１に記載の照明器具１００等では、光源１０１を有する灯体１０２が、アーム１０３の先端に回動可能に保持されている。アーム１０３の上端部は、円盤状のフランジ１０４によって、回転可能に支持されている。
一方、天井１０５には、取付板１０６が、ネジ１０７によって取付けられている。取付板１０６には、下方に突出してネジ部材１０９が設けられている。取付板１０６の中央部を貫通して、電源線１１０がフランジ１０４の内部に引き込まれている。
【０００３】
従って、天井１０５に取付けられている取付板１０６のネジ部材１０９でフランジ１０４を貫通し、フランジ１０４の下面においてネジ部材１０９の先端に袋ナット１０８を締め付けることにより、照明器具１００を天井１０５に取付ける。
【特許文献１】実用新案登録第２５５４１１６号公報
【発明の開示】
【発明が解決しようとする課題】
【０００４】
しかしながら、前述したような照明器具１００においては、照明器具１００を天井１０５に取付ける際に、まず、天井１０５に取付けられている取付板１０６を貫通している電源線１１０を、フランジ１０４内部の端子台に接続しなければならない。このとき、袋ナット１０８を締結するまで、作業者は重量の大きな照明器具１００を支える必要があり、取付け作業性が悪かった。
また、袋ナット１０８により照明器具１００を支持しているため、袋ナット１０８に緩みが生じた場合には、照明器具１００が落下するおそれがあるという問題があった。
【０００５】
本発明は、従来の問題を解決するためになされたもので、容易に取付けることができ、取付け後は落下を防止することができる照明器具を提供することを目的とする。
【課題を解決するための手段】
【０００６】
本発明の照明器具は、光源を有する灯体と、前記灯体を支持するアームと、上面が開口し底部に前記アームを支持する有底円筒形状をしたフランジと、被取付部に取付けられ前記フランジを係止する取付板と、を有する照明器具であって、前記フランジの内周面に沿って内側へ突出し、一端にストッパ部を有する傾斜面および該傾斜面の他端に連続する落下防止凹部を有する係合部を設け、前記取付板の外周面から下方外側へ突出し、先端部が前記落下防止凹部に嵌合可能なＬ字状の係止部を設けた構成を有している。
【０００７】
この構成により、光源を有する灯体を先端に支持するアームは、フランジの底部に支持されており、フランジを被取付部に取付けられている取付板に取り付けることにより、照明器具が被取付部に取付けられる。この際、取付板に設けられている係止部の先端部を、フランジの係合部のストッパ部に当接することにより、容易に位置決めすることができる。
また、ストッパ部に当接した状態では、係止部の先端部はフランジの傾斜面により仮支持されているので、フランジを取付板に容易に取付けることができる。
さらに、フランジを取付板に取付けることにより照明器具を被取付部に取付けた後、万が一止めネジが緩んでも、係止部は傾斜面に沿って移動し、落下防止凹部に嵌合するので、落下を確実に防止することができる。
【発明の効果】
【０００８】
本発明は、取付板に設けられている係止部の先端部を、フランジの係合部のストッパ部に当接することにより、容易に位置決めすることができる。また、ストッパ部に当接した状態では、係止部の先端部はフランジの傾斜面により仮支持されているので、フランジを取付板に容易に取付けることができる。さらに、フランジを取付板に取付けることにより照明器具を被取付部に取付けた後、万が一止めネジが緩んでも、係止部は傾斜面に沿って移動し、落下防止凹部に嵌合するので、落下を確実に防止することができるという効果を有する照明器具を提供することができるものである。
【発明を実施するための最良の形態】
【０００９】
以下、本発明の実施形態の照明器具について、図面を用いて説明する。
図１は本発明の実施形態にかかる照明器具を示す斜視図、図２は図１中II−II位置の断面図、図３は上方から見た取付板およびフランジの斜視図、図４は取付板およびフランジの分解斜視図である。
【００１０】
図１および図２に示すように、本発明の実施形態にかかる照明器具は、例えば被取付部である天井１１に取付けて使用されるスポットライト１０である。
スポットライト１０は、円筒形状の灯体２０を有しており、灯体２０の内部に、光源であるセラミックメタルハライドランプ（以後、「ランプ」という。）２１およびランプ２１の光を所定方向へ反射する反射板２２を有する。
【００１１】
ランプ２１は、灯体２０の内部に固定されたスクリューベースのソケット２５に取付けられる。反射板２２は略放物面状を呈しており、反射板２２の焦点位置にランプ２１の中心が配置されている。灯体２０の開口部には前面から前面枠２７が嵌め込み回転式により装着されており、反射板２２の前端部が反射板固定バネ２６により前面枠２７の後面に押し付けられて固定されている。灯体２０の上部には、ランプ２１を点灯させる安定器２３を内蔵する安定器ボックス２４が取付けられている。安定器ボックス２４は、灯体２０の外径と同じ外径を有する円筒形状として、あたかも灯体２０の延長部分であるかのようにするのが外観上望ましい。
【００１２】
灯体２０は、全体コ字状をした支持部材３０によって、上下方向に回動可能に支持されている。支持部材３０は、上部において水平に設けられている連結部３１と、連結部３１の両端から下方へ延びる一対のアーム３２、３２を有する。
連結部３１は、旋回軸部３５により後述するフランジ４０に旋回可能に支持される。旋回軸部３５は、連結部３１から垂直放状に設けられている軸部材３５１を有しており、フランジ４０に旋回可能に支持されている。軸部材３５１の中央部には、連結部３１と交差する方向（例えば、直交方向）に１本の腕３５２が設けられており、腕３５２の先端にネジ３５３が取付けられている。
【００１３】
各アーム３２の下端部は、回動軸３３によって灯体２０を回動可能に支持する。アーム３２における回動軸３３より先端側には、回動軸３３を中心とする扇状の回動固定部３４が設けられている。回動固定部３４には、回動軸３３を中心とする円弧状の溝３４１が設けられており、この溝３４１には、先端が灯体２０に螺合するネジ３４２が摺動可能に設けられている。
【００１４】
従って、支持部材３０を旋回軸３５を中心として旋回させることにより、灯体２０は水平方向に旋回する。そして、ネジ３５３を締め付けることにより、支持部材３０の旋回を固定することができる。さらに、アーム３２の回動軸３３回りに灯体２０を上下方向へ回動させて、回動固定部３４のネジ３４２で固定することにより、灯体２０を所望の方向へ向けて位置決めすることができる。そして、ネジ３４２を締めることにより、灯体２０の上下方向の回動を固定することができる。これにより、所望の方向へ照明光を照射することができる。
【００１５】
支持部材３０を旋回可能に支持するフランジ４０は、上面が開口した有底円筒形状を呈しており、底部４１の中央に支持部材３０を旋回可能に支持している。底部４１の上面４１３には端子台４８が設けられており、商用電源に接続された電源線（図示省略）を接続することにより、支持部材３０の内部を通ってソケット２５に接続されている配線を介して電力が供給される。
【００１６】
底部４１の下面４１１には、軸部材３５１を中心として溝４１２が設けられており、支持部材３０の腕３５２に設けられているネジ３５３を締め付けると、ネジ３５３の先端部が溝４１２の内部に侵入して固定され、支持部材３０の旋回を固定する。
【００１７】
図４に示すように、側壁４２の内周面４２１に沿って内側へ突出する係合部４７が設けられている。係合部４７は、内周面４２１の周方向に沿って傾斜する傾斜面４５を有しており、傾斜面４５の一端（下端）に連続してストッパ部４４が下方へ設けられている。また、傾斜面４５の他端（上端）に連続して、上方へ凹んだ落下防止凹部４６が設けられている。フランジ４０の側壁４２には、フランジ４０を固定する取付穴４２２が設けられており、固定ネジ４３が取付けられる。
【００１８】
図３および図４に示すように、天井１１に取付けられる取付板５０は、フランジ４０の内周面４２１に挿嵌可能な大きさおよび形状を有する。取付板５０の中心には、電源線を配線するための電源穴５１が貫通して設けられており、電源穴５１を挟んで径方向両側に取付板５０を天井１１に取付けるための取付穴５２、５２が設けられている。取付穴５２は、取付ネジ（図示省略）の頭が通過可能な大径部５２１と、ネジ部分は通過可能だが頭は通過できない小径部５２２とを連続して有する。
【００１９】
取付板５０の外周部には、取付穴５２に対して点対称位置に一対のブラケット５３が下方へ折曲形成されている。ブラケット５３には、固定ネジ４３が螺合するネジ穴５３１が形成されている。
【００２０】
取付板５０の外周部において、一対のブラケット５３を結ぶ直径と直交する直径上には、係止部５４が下方へ折曲形成されている。係止部５４は、下方へ延びる縦壁５４１と、縦壁５４１の下端から外側へ折曲形成されている水平壁５４２とから、全体Ｌ字形状を呈している。水平壁５４２がフランジ４０の内部に収納されてフランジ４０の内周面４２１に当接しないように、縦壁５４１は外周よりも中心側に設けられている。水平壁５４２は、フランジ４０の落下防止凹部４６に嵌合可能な大きさおよび形状をしている。
【００２１】
次に、本発明の照明器具１０を天井１１に取付ける動作を説明する。
まず、天井１１の所望の位置に取付板５０を取付け、天井１１の裏から引き出されている電源線を取付板５０の電源穴５１から引き出す。
【００２２】
次に、電源線の先端を、フランジ４０の底部４１に取付けられている端子台４８に接続する。支持部材３０を介して灯体２０が取付けられたフランジ４０を、取付板５０の外側に嵌める。そして、フランジ４０を図４中Ａ方向へ旋回させて、フランジ４０の係合部４７のストッパ部４４を取付板５０の水平壁５４２の端面５４３に当接させて、フランジ４０を取付板５０に対して位置決めする。
【００２３】
これにより、水平壁５４２の端面５４３がストッパ部４４に当接して旋回方向に位置決めされるとともに、水平壁５４２の上面が傾斜面４５の上端部に係止されて上下方向に位置決めされる。このため、フランジ４０の側壁４２に設けられている取付穴４２２と、取付板５０のブラケット５３のネジ穴５３１とが一致しているので、固定ネジ４３によりフランジ４０を取付板５０に固定する。
【００２４】
以上、説明した本発明の実施形態にかかる照明器具１０では、取付板５０に設けられている係止部５４の水平壁５４２を、フランジ４０の係合部４７のストッパ部４４に当接することにより、容易に位置決めすることができる。
【００２５】
また、ストッパ部４４に当接した状態では、係止部５４の水平壁５４２はフランジ４０の傾斜面４５により上下方向に仮支持されているので、フランジ４０を取付板５０に容易に取付けることができる。
【００２６】
さらに、フランジ４０を取付板５０に取付けることにより照明器具１０を天井１１に取付けた後、万が一止め固定ネジ４３が緩んでも、水平壁５４２は傾斜面４５に沿って移動し、落下防止凹部４６に嵌合するので、照明器具１０の落下を確実に防止することができる。
【００２７】
なお、本発明の照明器具は、前述した実施形態に限定されるものでなく、適宜な変形，改良等が可能である。
【図面の簡単な説明】
【００２８】
【図１】本発明の実施形態にかかる照明器具を示す斜視図
【図２】図１中II−II位置の断面図
【図３】上方から見た取付板およびフランジの斜視図
【図４】取付板およびフランジの分解斜視図
【図５】従来の照明装置の斜視図
【符号の説明】
【００２９】
１０  照明器具
１１  天井（被取付部）
２０  灯体
２１  ランプ（光源）
３２  アーム
４０  フランジ
４１  底部
４２１  内周面
４４  ストッパ部
４５  傾斜面
４６  落下防止凹部
４７  係合部
５０  取付板
５４  係止部
５４２  水平壁（先端部）
【図１】
2010140798.tif 000003
【図２】
2010140798.tif 000004
【図３】
2010140798.tif 000005
【図４】
2010140798.tif 000006
【図５】
2010140798.tif 000007